(57)【要約】【課題】イメージプロセッシング装置を提供する。【解決手段】メモリと、メモリにアクセスするためのデータバスと、映像信号を受信し、受信した映像信号を複数本のラインを含むフレームに変換するイメージ変換部と、フレームを複数のライングループに分類し、分類した複数のライングループをそれぞれ圧縮して圧縮データを生成し、圧縮データをデータバスを通じてメモリに保存するイメージ圧縮／解除部と、を含むイメージプロセッシング装置。【選択図】      図１
2011130433.tif 000002
【特許請求の範囲】
【請求項１】
メモリと、
前記メモリにアクセスするためのデータバスと、
映像信号を受信し、受信した前記映像信号を複数本のラインを含むフレームに変換するイメージ変換部と、
前記フレームを複数のライングループに分類し、分類した前記複数のライングループをそれぞれ圧縮して圧縮データを生成し、生成した前記圧縮データを前記データバスを通じて前記メモリに保存するイメージ圧縮／解除部と、
を含むことを特徴とするイメージプロセッシング装置。
【請求項２】
前記イメージプロセッシング装置は、
前記圧縮データの一部に該当する部分データのディスプレイを要請するディスプレイ要請を受信すると、前記圧縮データのうち、前記部分データを含むライングループを決定し、決定した前記ライングループを圧縮解除するように、前記イメージ圧縮／解除部を制御する制御部をさらに含むことを特徴とする請求項１に記載のイメージプロセッシング装置。
【請求項３】
前記イメージプロセッシング装置は、
ユーザから前記フレームの一部に該当する部分データのディスプレイを要請されるユーザ入力部と、
前記部分データをディスプレイするディスプレイ部と、
をさらに含むことを特徴とする請求項１に記載のイメージプロセッシング装置。
【請求項４】
前記複数のライングループは、
原本状態を維持する一本の第１ラインと、既定の圧縮率で圧縮される複数本の第２ラインとをそれぞれ含み、
前記第１ラインは、前記フレームで、前記複数本の第２ラインの前に配列されるラインであることを特徴とする請求項１に記載のイメージプロセッシング装置。
【請求項５】
前記制御部は、
前記圧縮データに含まれた複数のライングループのそれぞれで、原本状態を維持する第１ラインのアドレスを、前記部分データに含まれた複数本のラインのうち最初のラインのアドレスと比較して、前記最初のラインと最も近接したアドレスを有する第１ラインが含まれるライングループを前記部分データに対応するライングループに決定することを特徴とする請求項２に記載のイメージプロセッシング装置。
【請求項６】
前記制御部は、
前記部分データを含むライングループが決定されると、決定された前記ライングループに含まれる原本状態を維持する第１ラインの次に位置するラインから前記部分データの最後のラインのアドレスと同一のアドレスを有するラインまでの複数本のラインを含むライングループの圧縮を解除するように、前記イメージ圧縮／解除部を制御することを特徴とする請求項２に記載のイメージプロセッシング装置。
【請求項７】
外部から入力される映像信号を受信し、受信した前記映像信号を複数本のラインを含むフレームに変換する段階と、
変換した前記フレームを前記複数本のラインを含む複数のライングループに分類し、分類した前記複数のライングループをそれぞれ圧縮して圧縮データを生成する段階と、
生成した前記圧縮データをデータバスを通じてメモリに保存する段階と、
を含むことを特徴とするイメージプロセッシング方法。
【請求項８】
前記複数のライングループは、
原本状態を維持する１本の第１ラインと、既定の圧縮率で圧縮される複数本の第２ラインとをそれぞれ含み、
前記第１ラインは、前記フレームで、前記複数本の第２ラインの前に配列されるラインであることを特徴とする請求項７に記載のイメージプロセッシング方法。
【請求項９】
ユーザから、メモリに保存した圧縮データの一部に該当する部分データのディスプレイを要請される段階と、
前記圧縮データに含まれた複数本のラインを含む複数のライングループのうち、前記部分データを含むライングループを決定する段階と、
決定した前記ライングループを前記メモリから抽出して圧縮解除する段階と、
圧縮解除された前記ライングループをディスプレイする段階と、
を含むことを特徴とするイメージプロセッシング方法。
【請求項１０】
前記複数のライングループは、
原本状態を維持する１本の第１ラインと、既定の圧縮率で圧縮される複数本の第２ラインとをそれぞれ含み、
前記第１ラインは、前記圧縮データに対応するフレームで、前記複数本の第２ラインの前に配列されるラインであることを特徴とする請求項９に記載のイメージプロセッシング方法。
【発明の詳細な説明】
【技術分野】
【０００１】
本発明は、データバスを通じてメモリから圧縮データを判読するイメージプロセッシング装置及びイメージプロセッシング方法に係り、特に、メモリに保存した圧縮データのうち、ユーザ入力に対応する一部のデータのみを圧縮解除してディスプレイできるイメージプロセッシング装置及びイメージプロセッシング方法に関する。
【背景技術】
【０００２】
イメージセンサは、光を電気信号に変換する半導体素子であって、電荷結合素子（Ｃｈａｒｇｅ  Ｃｏｕｐｌｅｄ  Ｄｅｖｉｃｅ、以下‘ＣＣＤ’と称する）イメージセンサとＣＭＯＳイメージセンサとに分けられる。ＣＣＤイメージセンサは、駆動方式が複雑であり、消費電力も大きく、製造工程も複雑である。
【０００３】
最近、デジタルカメラ、カムコーダ、ＰＣＳ（Ｐｅｒｓｏｎａｌ  Ｃｏｍｍｕｎｉｃａｔｉｏｎ  Ｓｙｓｔｅｍ）、ゲーム機など多様な分野でＣＭＯＳイメージセンサに対する需要が急増している。一般的に、ＣＭＯＳイメージセンサは、ピクセルアレイ、アナログ−デジタル変換器、ラインメモリ、及び感知増幅器を含む。
【０００４】
ピクセルアレイには、複数のピクセルがマトリックス状に配列され、複数のピクセルのそれぞれは、光検出素子を含む。アナログ−デジタル変換器は、ピクセルアレイから出力されるアナログ信号をデジタル信号に変換する。変換されたデジタル信号は、ラインメモリに一時的に保存される。感知増幅器は、ラインメモリからバスラインを通じて出力されるデジタル信号を感知増幅する。
【０００５】
このようなＣＭＯＳイメージセンサの動作速度は、デジタル信号のリードアウト速度と直接的に関連する。デジタル信号のリードアウト速度は、ラインメモリに保存されたデジタル信号がバスラインを通じて感知増幅器で感知増幅され外部に出力されるまでの時間によって左右されることがあり、この時間が短いほどＣＭＯＳイメージセンサの動作速度は向上する。
【０００６】
一方、モバイル機器では、ＣＭＯＳイメージセンサを利用した映像処理がさらに重要になっている。それに伴い、モバイル機器で、ＣＭＯＳイメージセンサの動作速度を向上させる方法が要求される。
【先行技術文献】
【特許文献】
【０００７】
【特許文献１】韓国特許出願公開第２００８−０１０３０３４号公報
【発明の概要】
【発明が解決しようとする課題】
【０００８】
本発明が解決しようとする技術的な課題は、圧縮データへのランダムアクセスを可能にすることによって、メモリに保存された圧縮データのうち、ユーザ入力に対応する一部のデータのみを圧縮解除してディスプレイできるイメージプロセッシング装置及びイメージプロセッシング方法を提供することである。
【課題を解決するための手段】
【０００９】
本発明の実施形態によるイメージプロセッシング装置は、メモリと、メモリにアクセスするためのデータバスと、外部から入力される映像信号を受信し、受信した映像信号を複数本のラインを含むフレームに変換するイメージ変換部と、フレームを複数のライングループに分類し、分類した複数のライングループをそれぞれ圧縮して圧縮データを生成し、生成した圧縮データをデータバスを通じてメモリに保存するイメージ圧縮／解除部と、を含む。
【００１０】
本発明の実施形態によるイメージプロセッシング方法は、外部から入力される映像信号を受信し、受信した映像信号を複数本のラインを含むフレームに変換する段階と、変換したフレームを複数本のラインを含む複数のライングループに分類し、分類した複数のライングループをそれぞれ圧縮して圧縮データを生成する段階と、生成した圧縮データをデータバスを通じてメモリに保存する段階と、を含む。
【００１１】
本発明の実施形態によるイメージプロセッシング方法は、ユーザから、メモリに保存した圧縮データの一部に該当する部分データのディスプレイが要請される段階と、圧縮データに含まれた、複数本のラインを含む複数のライングループのうち、部分データを含むライングループを決定する段階と、決定したライングループをメモリから抽出して圧縮解除する段階と、圧縮解除したライングループをディスプレイする段階と、を含む。
【発明の効果】
【００１２】
本発明の実施形態による、データバスを通じてメモリから圧縮データを処理するイメージプロセッシング装置及びイメージプロセッシング方法は、圧縮データへのランダムアクセスを可能にすることによって、メモリに保存した圧縮データのうち、ユーザ入力に対応する一部のデータのみを圧縮解除してディスプレイすることができる。
【図面の簡単な説明】
【００１３】
【図１】本発明の一実施形態によるイメージプロセッシング装置の概略的な構造を示すブロック図である。
【図２】本発明の一実施形態によるイメージプロセッシング装置のイメージプロセッシング方法を示すフローチャートである。
【図３】本発明の一実施形態によるイメージプロセッシング装置によって生成されるフレーム及び圧縮データを示す。
【図４】本発明の他の実施形態によるイメージプロセッシング装置のイメージプロセッシング方法を示すフローチャートである。
【図５】本発明の一実施形態によるイメージプロセッシング装置でディスプレイした部分データを示す。
【発明を実施するための形態】
【００１４】
以下、添付した図面を参照して、本発明を詳しく説明する。
【００１５】
図１は、本発明の一実施形態によるイメージプロセッシング装置の概略的な構造を示すブロック図である。図１を参照すると、イメージプロセッシング装置１００は、ユーザ入力部１０、イメージ変換部２０、イメージ圧縮／解除部３０、ディスプレイ部４０、データバス５０、メモリ６０及び制御部７０を含む。
【００１６】
ユーザ入力部１０は、ユーザから入力されたユーザ入力を受信する。ユーザ入力部１０は、少なくとも１つのボタンなどを備え、ユーザからカメラ（図示せず）などを通じて映像信号を受信するためのユーザ入力を受信する。また、ユーザ入力部１０は、メモリ６０に保存されたイメージ、すなわち、フレームの全体または一部をディスプレイ部４０にディスプレイするよう要請するユーザ入力を受信する。
【００１７】
イメージ変換部２０は、カメラ（図示せず）などの外部を通じて入力される映像信号を受信し、受信した映像信号をデジタル化して複数本のラインを含むフレームに変換する。
【００１８】
イメージ圧縮／解除部３０は、制御部７０の制御下でイメージ変換部２０が生成したフレームを圧縮して圧縮データを生成する。フレームは、複数本のラインを含む。イメージ圧縮／解除部３０は、まず複数本のラインを、フレームに配列された順序によって複数のライングループに分類する。以後、イメージ圧縮／解除部３０は、複数のライングループをそれぞれ圧縮し、圧縮しライングループのそれぞれを合わせることによって、１つの圧縮データを生成する。
【００１９】
この際、イメージ圧縮／解除部３０は、複数のライングループをそれぞれ１本のラインのみを含む第１ラインと複数本のラインを含む複数本の第２ラインとに分ける。以後、イメージ圧縮／解除部３０は、複数本の第２ラインのみを圧縮する方式で複数のライングループのそれぞれに対する圧縮を行う。また、イメージ圧縮／解除部３０は、制御部７０の制御下で複数のライングループのそれぞれに対する圧縮を行う時、複数のライングループのそれぞれに含まれたすべてのラインのうち、フレームで最も先に配列されたラインを第１ラインに決定する。イメージ圧縮／解除部３０は、制御部７０の制御下で複数のライングループのそれぞれの第１ラインに対しては圧縮を行わずに原本状態を維持する。
【００２０】
すなわち、イメージ圧縮／解除部３０は、‘原本状態を維持する第１ライン＋圧縮する複数本のラインを含む複数本の第２ライン’で構成される複数のライングループにおいて、複数本の第２ラインのみをそれぞれ圧縮することによって、圧縮データを生成する。
【００２１】
例えば、イメージ変換部２０を通じて生成されたフレームのラインが、ライン１〜ライン２０の２０本と仮定する。イメージ圧縮／解除部３０は、ライン１〜ライン６、ライン７〜ライン１２、ライン１３〜ライン１８及びライン１９〜ライン２０をそれぞれライングループに分ける。イメージ圧縮／解除部２０は、ライン１、ライン７、ライン１３、及びライン１９をそれぞれ原本状態を維持する第１ラインに分類し、ライン２〜ライン６、ライン８〜ライン１２、ライン１４〜ライン１８及びライン２０をそれぞれ第２ラインに分類する。
【００２２】
また、イメージ圧縮／解除部３０は、第２ラインをそれぞれ圧縮した後、‘ライン１→ライン２〜ライン６→ライン７→ライン８〜ライン１２→ライン１３→ライン１４〜ライン１８→ライン１９→ライン２０’の順序で配列する。このように、イメージ圧縮／解除部３０は、圧縮していない状態である複数本の第１ラインと圧縮した形態の複数本の第２ラインとを順次に配列することによって、圧縮データを生成する。圧縮データが生成されると、イメージ圧縮／解除部３０は、圧縮データをデータバス５０に伝達してメモリ６０に保存する。
【００２３】
また、イメージ圧縮／解除部３０は、メモリ６０からメモリバス５０を通じて伝達された圧縮データの圧縮を解除する。この際、イメージ圧縮／解除部３０は、後述する制御部７０の制御下で１つのフレームに対応する圧縮データをいずれも圧縮解除するものではなく、圧縮データの一部、すなわち、部分データを含む複数のライングループのみをメモリ６０から抽出して圧縮解除を行う。
【００２４】
この際、イメージ圧縮／解除部３０は、各ライングループのうち、原本データに該当する第１ラインを基準に複数本の第２ラインの圧縮を解除する。原本データである第１ラインの画質を基準に複数本の第２ラインの圧縮を解除するので、イメージ圧縮／解除部３０は、複数本の第２ラインに対する圧縮解除時、複数本の第２ラインを原本データに近く復元することができる。
【００２５】
例えば、原本データの画質を‘１００’と仮定する。圧縮データに原本データを含めずに圧縮する圧縮方式の場合、通常、圧縮解除するデータの前ラインを基準にして圧縮を解除する。圧縮データに対する圧縮を解除すれば、その圧縮が解除されたデータは、原本データに比べてデータが損失されたデータであるため、原本データを含まない圧縮方式では、２本のラインに対する圧縮解除時に画質が‘９５’になると仮定できる。また、本実施形態による圧縮方式と原本データを含まない圧縮方式とが、いずれも圧縮されている２本のラインに対する圧縮を解除する場合、基準となるラインより‘５’だけ低下した画質でイメージを復元すると仮定する。
【００２６】
本実施形態による圧縮方式は、原本データを基準に圧縮を解除するので、‘５’だけ画質が低下するとしても、‘９５’の画質を有するイメージで複数本の第２ラインを復元することができる。一方、原本データを含まない場合には、基準となる前２本のラインの画質が‘９５’であるので、‘９０’の画質を有するイメージで複数本のラインを復元する。すなわち、本実施形態によるイメージ圧縮／解除部３０は、原本データを維持する第１ラインを各ライングループに含ませることによって、圧縮された各第２ラインを原本データの画質にさらに近く復元させることができる。
【００２７】
前記の例を挙げて説明すれば、イメージ圧縮／解除部３０は、制御部７０の制御下でライン１〜ライン２０のうち、ライン１〜ライン６、ライン７〜１２、またはライン１３〜ライン１８のうち何れか１つに対してのみ圧縮解除を行う。
【００２８】
ディスプレイ部４０は、ＬＣＤのような平板ディスプレイからなり、イメージプロセッシング装置１００で発生する各種の表示データをディスプレイする。ＬＣＤなどのような平板ディスプレイが、タッチスクリーン方式で具現される場合、ディスプレイ部４０は、入力手段とディスプレイ手段として同時に動作することができる。本実施形態によるディスプレイ部４０は、カメラなどの外部から入力される映像信号を表示するか、イメージ変換部２０によってデジタル化されたフレームをディスプレイする。また、ディスプレイ部４０は、イメージ圧縮／解除部３０によって圧縮データの圧縮が解除されると、圧縮が解除されたフレームの一部または全体をディスプレイする。
【００２９】
データバス５０は、イメージ圧縮／解除部３０とメモリ６０、または制御部７０とメモリ６０との間で送受信するデータを伝達する。
【００３０】
メモリ６０には、イメージプロセッシング装置１００の動作制御のために必要な各種情報を保存する。メモリ６０は、ＤＲＡＭのような揮発性メモリ、またはフラッシュメモリのような不揮発性メモリとして具現可能である。
【００３１】
本実施形態によるメモリ６０は、イメージ変換部２０で生成したフレームまたはイメージ圧縮／解除部３０で生成した圧縮データを保存する。また、メモリ６０は、イメージ圧縮／解除部３０で圧縮データを生成するための圧縮率をあらかじめ保存する。制御部７０は、イメージプロセッシング装置１００の全般的な動作を制御する。
【００３２】
本実施形態による制御部７０は、イメージ圧縮／解除部３０が、フレームを圧縮データに変換する時、そのフレームに含まれるすべてのラインを複数のライングループに分類するようにイメージ圧縮／解除部３０を制御する。この際、制御部７０は、圧縮をしないライン、すなわち、第１ラインを決定する。
【００３３】
例えば、１つのフレームを構成する複数本のラインが、ライン１〜ライン３０であると仮定する。制御部７０は、イメージ圧縮／解除部３０を制御して１つのライングループに６本のラインが含まれるように圧縮データを生成する。この際、制御部７０は、ライン１から６本のライン間隔ごとのラインを原本状態で維持する第１ラインを決定する。このような場合、イメージ圧縮／解除部３０は、ライン１〜ライン３０のうち、ライン１、ライン７、ライン１３、ライン１９及びライン２５を原本状態で維持し、残りのライン２〜ライン６、ライン８〜ライン１２、ライン１４〜ライン１８、ライン２０〜ライン２４及びライン２６〜ライン３０をそれぞれ圧縮する。
【００３４】
ユーザ入力部１０を通じてメモリ６０に保存した圧縮データのディスプレイを要請するユーザ入力が受信されれば、制御部７０は、ユーザ入力部１０によって受信されたユーザ入力を分析する。ユーザ入力が、フレーム全体のディスプレイを要請することであれば、制御部７０は、イメージ圧縮／解除部３０を制御して圧縮データの全体を圧縮解除する。
【００３５】
ユーザ入力が、フレームの一部のみのディスプレイを要請することであれば、制御部７０は、ユーザ入力に対応する部分、すなわち、部分データが、全体フレームのうち何番目のラインから何番目のラインまでであるかを判断する。この際、部分データが始まる最初のラインを‘スタートライン’と言う。
【００３６】
制御部７０は、圧縮データのうち、スタートラインと最も近接した第１ラインを含むライングループを判断する。また、制御部７０は、その第１ラインを含むライングループが、部分データを含むライングループであるか否かを判断する。部分データを含むライングループである場合、制御部７０は、イメージ圧縮／解除部３０を制御して部分データを含むライングループに対する圧縮を解除する。第１ラインは、原本状態を維持するラインであるので、イメージ圧縮／解除部３０は、第２ラインに対する圧縮のみを解除すれば良い。
【００３７】
前記の例を挙げて説明すれば、ユーザによって要請された部分データが、全体フレームのうち、ライン１４〜ライン２２であると仮定すれば、スタートラインはライン１４である。制御部７０は、スタートラインであるライン１４と最も近接した第１ラインであるライン１３とを含むライングループに対する圧縮を解除する。ライン１３〜ライン１８が同一のライングループであるので、イメージ圧縮／解除部３０は、ライン１４〜ライン１８に対する圧縮を解除する。部分データがライン１４〜ライン２２であるので、制御部７０は、圧縮データのうち、部分データを含むライングループを抽出する時、ライン１３〜ライン１８だけではなく、ライン１９〜ライン２４もともに抽出する。したがって、イメージ圧縮／解除部３０は、ライン１４〜ライン１８だけではなく、ライン２０〜ライン２４に対する圧縮も解除する。これにより、ライン１３からライン２４までのラインがいずれも原本状態になり、制御部７０は、そのうち部分データに該当するライン１４〜ライン２２を抽出してディスプレイ部４０にディスプレイする。
【００３８】
一方、制御部７０は、ライン２０〜ライン２４に対する圧縮をいずれも解除するものではなく、ライン２０〜ライン２２に対する圧縮のみ解除するようにイメージ圧縮／解除部３０を制御する。
【００３９】
図２は、本発明の一実施形態によるイメージプロセッシング装置のイメージプロセッシング方法を示すフローチャートである。
【００４０】
イメージプロセッシング装置１００のイメージ変換部１０は、カメラ（図示せず）などを通じて外部から入力される映像信号をデジタル化してフレームを生成する（ステップＳ１１２）。イメージ圧縮／解除部３０は、段階Ｓ１１２で生成したフレームに含まれたラインを‘第１ライン−第２ライン’順に整列することによって、複数のライングループにそれぞれ分類する（ステップＳ１１４）。
【００４１】
イメージ圧縮／解除部３０は、各ライングループの複数本の第２ラインのみを圧縮して圧縮データを生成する（ステップＳ１１６）。この際、制御部７０は、イメージ圧縮／解除部３０を制御して、圧縮はせず、原本状態を維持するライン、すなわち、複数本の第１ラインのアドレスをメモリ６０に記録する。
【００４２】
イメージ圧縮／解除部３０を通じて圧縮データを生成すると、制御部７０は、データバス５０を通じて圧縮データをメモリ６０に保存する（ステップＳ１１８）。
【００４３】
図３は、本発明の一実施形態によるイメージプロセッシング装置によって生成されるフレーム及び圧縮データを示す。
【００４４】
図３の（ａ）は、イメージ変換部２０によって生成されたフレームを示し、図３の（ｂ）は、イメージ圧縮／解除部３０によって生成された圧縮データを示す。
【００４５】
図３の（ａ）を参照すると、圧縮データは、ライン１乃至ライン２３を含む。ライン１、ライン１０及びライン１９は、各ライングループ１２２、１２４、１２６の第１ラインであり、ライン２〜ライン９は、第１ライングループ１２２の複数本の第２ライン、ライン１１〜ライン１８は、第２ライングループ１２４の複数本の第２ライン、ライン２０〜ライン２３は、第３ライングループ１２６の複数本の第２ラインである。
【００４６】
図３の（ｂ）を参照すると、イメージ圧縮／解除部３０は、第１ライングループ１２２の複数本の第２ライン、第２ライングループ１２４の複数本の第２ライン、及び第３ライングループ１２６の複数本の第２ラインを圧縮して、それぞれ１つのブロックファイルに変換した。また、イメージ圧縮／解除部３０は、制御部７０の制御下で各ライングループ１２２、１２４、及び１２６の第１ラインであるライン１、ライン１０及びライン１９を原本状態で維持し、第１ライン−第２ライン順に配列した。
【００４７】
前記のように、圧縮データを生成することによって、イメージプロセッシング装置１００の制御部７０は、複数本の第２ラインに含まれるデータが全体フレームのうち、どの部分に該当するかが容易に分かる。
【００４８】
例えば、ユーザ入力部１０を通じてディスプレイが要請された部分データが、Ａ（１３０）と仮定する。Ａ（１３０）が、第１ライングループ１２２であるライン２〜ライン９に含まれているので、制御部７０は、ライン２〜ライン９に対する圧縮のみを解除するようにイメージ圧縮／解除部３０を制御する。
【００４９】
図４は、本発明の他の実施形態による、イメージプロセッシング装置のイメージプロセッシング方法を示すフローチャートである。
【００５０】
イメージプロセッシング装置１００は、ユーザ入力部１０を通じて、メモリ６０に保存したフレームのうち、特定の部分をディスプレイ部４０にディスプレイすることを要請するユーザ入力を受信する（ステップＳ１４０）。
【００５１】
ユーザ入力を受信すると、イメージプロセッシング装置１００の制御部７０は、そのユーザ入力に該当する特定の部分、すなわち、部分データがフレームでどの部分に該当するかを先に判断する（ステップＳ１４２）。この際、制御部７０は、部分データがフレームを構成する複数本のラインのうち、どのラインに該当するかを判断する。例えば、制御部７０は、部分データが、図３の（ｂ）に示したように、フレームのうち、ライン２〜ライン９の間に存在するということが分かる。
【００５２】
部分データが、どのラインに該当するかが決定すると、制御部７０は、圧縮データのうち、圧縮を解除するライングループを決定する（ステップＳ１４４）。例えば、部分データが、ライン２〜ライン９に含まれていると仮定すると、制御部７０は、ライン２〜ライン９を含む第１ライングループ１２２を、圧縮を解除するライングループに決定する。
【００５３】
制御部７０は、圧縮解除するライングループを決定する時、部分データのスタートラインと最も近接した２本の第１ラインのうち、部分データのスタートラインより順序が先行するアドレスを有するか、または同一のアドレスを有する第１ラインを含むライングループから圧縮を解除するようにイメージ圧縮／解除部３０を制御する。
【００５４】
また、制御部７０は、圧縮を解除するライングループのうちでも、部分データを含むラインまで圧縮を解除するようにイメージ圧縮／解除部３０を制御することができる。例えば、部分データが、ライン３〜ライン７にのみ含まれているならば、イメージ圧縮／解除部３０は、制御部７０の制御下で第１ライングループのうち、ライン２乃至ライン７まで圧縮を解除することができる。
【００５５】
これにより、本発明によるイメージプロセッシング装置１００は、段階Ｓ１４０でユーザ入力を受信すると、圧縮データの全体を圧縮解除しなくてもユーザ入力に対応する部分、すなわち、部分データをユーザにディスプレイすることができる。
【００５６】
圧縮データのうち、圧縮を解除するライングループを決定すると、イメージ圧縮／解除部３０は、そのライングループに対する圧縮を解除する（ステップＳ１４６）。圧縮が解除されれば、ディスプレイ部４０は、部分データをディスプレイする（ステップＳ１４８）。
【００５７】
図５は、本発明の一実施形態によるイメージプロセッシング装置でディスプレイした部分データを示す。
【００５８】
図５の（ａ）は、フレームに対応するサムネイルを示したものであり、図５の（ｂ）は、ディスプレイした部分データを示す。
【００５９】
本実施形態によるイメージプロセッシング装置１００の制御部７０は、フレームをライングループ別に分類して圧縮データを生成する時に、イメージ圧縮／解除部３０は各ライングループに対応するサムネイルを生成する。サムネイルとは、フレームを既定のサイズに減らして圧縮したイメージを言う。
【００６０】
図５の（ａ）を参照すると、イメージ圧縮／解除部３０は、フレームを９個のライングループに分けて、それぞれを圧縮し圧縮データを生成する。この際、制御部７０は、イメージ圧縮／解除部３０を制御して、９個に分けられる各ライングループにおける最初のラインを第１ラインとして指定し原本状態を維持する。また、イメージプロセッシング装置１００は、データバス５０を通じてメモリ６０に圧縮データを保存する時、圧縮データに対応するサムネイルも、図５の（ａ）のようにグループ別に分けて、各ライングループにサムネイルが対応するようにする。
【００６１】
ディスプレイ部４０によって、図５の（ａ）のようなサムネイルがディスプレイされ、ユーザからＢ（１３２）を選択するユーザ入力を受信すると仮定する。イメージプロセッシング装置１００は、メモリ６０に保存した圧縮データのうち、Ｂ（１３２）と対応するライングループのみを読み取って圧縮を解除することによって、図５の（ｂ）のように、ディスプレイ部４０に表示することができる。
【産業上の利用可能性】
【００６２】
本発明は、イメージプロセッシング装置とイメージプロセッシング方法とに利用することができる。
【符号の説明】
【００６３】
１００：イメージプロセッシング装置
１０：ユーザ入力部
２０：イメージ変換部
３０：イメージ圧縮／解除部
４０：ディスプレイ部
５０：データバス
６０：メモリ
７０：制御部
【図１】
2011130433.tif 000003
【図２】
2011130433.tif 000004
【図３】
2011130433.tif 000005
【図４】
2011130433.tif 000006
【図５】
2011130433.tif 000007